(57)【要約】【課題】所望の白色の光を取り出せることによって高彩色な表示が可能な電気光学装置及び電子機器を提供する。【解決手段】各カラー画素２は、赤、緑及び青用画素２Ｒ，２Ｇ，２Ｂに加えて色度の異なる２つの白色の光を出射する第１及び第２白用画素２Ｗａ，２Ｗｂを備えた。従って、第１白用画素２Ｗａに供給されるデータ信号及び第２白用画素２Ｗｂに供給されるデータ信号を、それぞれ制御して第１白用画素２Ｗａの光の発光輝度と、第２白用画素２Ｗｂの光の発光輝度との相対的強度を調整するようにした。【選択図】図１
2008071664.tif 000002
【特許請求の範囲】
【請求項１】
基板上に形成された複数の第１電極と、少なくとも発光層を含む機能層を挟んで前記第１
電極に対向する位置に設けられ前記発光層にて発せられた光を透過する第２電極とを備え
、
前記第１電極毎に異なった色の光を出射する複数の画素から構成されたカラー画素をマ
トリクス状に複数配置して表示領域が形成される電気光学装置において、
前記複数の画素は、白色の光を出射する第１白用画素と、前記第１白用画素から出射す
る白色の光とは色度が異なった白色の光を出射する第２白用画素とを含むことを特徴とす
る電気光学装置。
【請求項２】
請求項１に記載の電気光学装置において、
前記第１白用画素及び前記第２白用画素は、それぞれ、その第１電極と第２電極との間
に光透過層を備え、
前記第１白用画素の前記光透過層の膜厚と前記第２白用画素の前記光透過層の膜厚とは
、異なっていることを特徴とする電気光学装置。
【請求項３】
請求項１または２に記載の電気光学装置において、
前記各カラー画素を構成する前記複数の画素は、前記第１白用画素及び前記第２白用画
素以外に、さらに赤色の光を出射する赤用画素、緑色の光を出射する緑用画素及び青色の
光を出射する青用画素を備え、
前記各カラー画素は、前記表示領域の行方向及びこれと直交する列方向にマトリクス状
に配列され、
前記各カラー画素にて前記赤用画素、前記緑用画素及び前記青用画素は前記行方向で同
一線上に配列されるとともに、前記第１白用画素及び前記第２白用画素は前記赤用画素、
前記緑用画素及び前記青用画素に対し、前記列方向にて隣接する位置にて前記行方向に配
列され、前記行方向に隣接する２つのカラー画素の外形状は、前記行方向で互いに逆向き
であることを特徴とする電気光学装置。
【請求項４】
請求項３に記載の電気光学装置において、
前記各カラー画素に含まれる前記赤用画素、前記緑用画素及び前記青用画素のうち、少
なくとも一つの前記赤用画素、前記緑用画素及び前記青用画素上には、その画素から出射
した光の色を変換する色変換層を具備したカラーフィルタが設けられていることを特徴と
する電気光学装置。
【請求項５】
請求項１〜４のいずれか一つに記載の電気光学装置において、
前記複数の画素の各々は、有機エレクトロルミネッセンス素子を備えていることを特徴
とする電気光学装置。
【請求項６】
請求項５に記載の電気光学装置において、
前記有機エレクトロルミネッセンス素子は、白色の光を出射する発光層を備えているこ
とを特徴とする電気光学装置。
【請求項７】
請求項３〜６のいずれか一つに記載の電気光学装置において、
前記第１白用画素及び前記第２白用画素にはカラーフィルタを設けないことを特徴とす
る電気光学装置。
【請求項８】
請求項２〜７のいずれか一つに記載の電気光学装置において、
前記第１白用画素及び前記第２白用画素から出射される各白色の光の色度は、その前記
光透過層の膜厚に応じて調整されていることを特徴とする電気光学装置。
【請求項９】
請求項１〜８にいずれか一つに記載の電気光学装置を備えたことを特徴とする電子機器。
【発明の詳細な説明】
【技術分野】
【０００１】
本発明は、電気光学装置及び電子機器に関するものである。
【背景技術】
【０００２】
近年、各画素に有機エレクトロルミネッセンス素子（以下、「有機ＥＬ素子」という）
を備えた有機エレクトロルミネッセンス装置（以下、「有機ＥＬ装置」という）の開発が
進められている。この有機ＥＬ素子は、２つの電極間に発光層を含んだ機能層を挟持した
構成をしており、発光層から発せられた光を表示光として利用するようになっている。
【０００３】
ところで、この種の有機ＥＬ装置では、有機ＥＬ素子から直接取り出された光は発光ス
ペクトルがブロードなり、発光輝度も低くなってしまう。このため、表示装置に適用した
場合では十分な色再現性が得られず、適切な画像表示ができないという問題があった。
【０００４】
そこで、各画素に半透明反射層（ハーフミラー層）を設け、発光層から発せられた光を
、画素電極と半透明反射層（ハーフミラー層）との間で往復するように反射させることに
よって、その光学的距離に対応した共振波長の光のみを増幅させて外部に取り出すように
した共振器（マイクロキャビティー）構造を備えた有機ＥＬ装置が提案されている。また
、共振器（マイクロキャビティー）構造を備えた有機ＥＬ装置では、各光学的距離を適宜
変更することで、赤色（Ｒ）、緑色（Ｇ）の光、青色（Ｂ）、白色（Ｗ）の光を取り出す
ことも可能となる（例えば、特許文献１参照）。
【特許文献１】特開２００５−１１６５１６号公報
【発明の開示】
【発明が解決しようとする課題】
【０００５】
ところで、白色（Ｗ）の光は複数の発光スペクトルピーク値を有するが、前述した共振
器（マイクロキャビティー）構造では特定の波長のみが増幅されてしまうため、本来の白
色（Ｗ）の光ではなく、少し色味かかった白色の光となってしまうという問題があった。
【０００６】
そこで、本発明の目的は、このような事情に鑑みてなされたものであって、共振器（マ
イクロキャビティー）構造を有した画素であっても、所望の白色の光を取り出することが
でき、もって高彩色な表示が可能な電気光学装置及び電子機器を提供することである。
【課題を解決するための手段】
【０００７】
本発明の発光装置は、基板上に形成された複数の第１電極と、少なくとも発光層を含む
機能層を挟んで前記第１電極に対向する位置に設けられ前記発光層にて発せられた光を透
過する第２電極とを備え、前記第１電極毎に異なった色の光を出射する複数の画素から構
成されたカラー画素をマトリクス状に複数配置して表示領域が形成される電気光学装置に
おいて、前記複数の画素は、白色の光を出射する第１白用画素と、前記第１白用画素から
出射する白色の光とは色度が異なった白色の光を出射する第２白用画素とを含んでいる。
【０００８】
これによれば、一般に、発光層から出射された光を第２電極から取り出すようにした、
所謂トップエミッションタイプの電気光学装置では、光学的な干渉によって発光層での発
光色をそのまま取り出すことが困難である。このため、従来、所望の白色の光を表示でき
なかったが、本発明では、各カラー画素は、２種類の色度が異なった白色の光が出射され
ることから、この色度の異なる２種類の白色の光の発光輝度を調整することによって所望
の白色の光を取り出すことが可能となる。
【０００９】
この電気光学装置において、前記第１白用画素及び前記第２白用画素は、それぞれ、そ
の第１電極と第２電極との間に光透過層を備え、前記第１白用画素の前記光透過層の膜厚
と前記第２白用画素の前記光透過層の膜厚とは、異なっていてもよい。
【００１０】
これによれば、光透過層の膜厚を変化させることによって、第１白用画素内の光学的距
離と、第２白用画素内の光学的距離とが異なることから、第１白用画素から出射される白
色の光と第２白用画素から出射される白色の光との色度が異なる。
【００１１】
この電気光学装置において、前記各カラー画素を構成する前記複数の画素は、前記第１
白用画素及び前記第２白用画素以外に、さらに赤色の光を出射する赤用画素、緑色の光を
出射する緑用画素及び青色の光を出射する青用画素を備え、前記各カラー画素は、前記表
示領域の行方向及びこれと直交する列方向にマトリクス状に配列され、前記各カラー画素
にて前記赤用画素、前記緑用画素及び前記青用画素は前記行方向で同一線上に配列される
とともに、前記第１白用画素及び前記第２白用画素は前記赤用画素、前記緑用画素及び前
記青用画素に対し、前記列方向にて隣接する位置にて前記行方向に配列され、前記行方向
に隣接する２つのカラー画素の外形状は、前記行方向で互いに逆向きであってもよい。
【００１２】
これによれば、各カラー画素は略三角形状を成す。この結果、赤色の光、緑色の光、青
色の光、白色の光の各発光中心は各カラー画素の中心としてほぼ等間隔に位置する。この
ため、色再現性が良好なフルカラー表示を行う電気光学装置が実現する。また、各カラー
画素はハニカム状に配置されることから、カラー画素は高密度で配置される。この結果、
高精細な画像が表示できる。
【００１３】
この電気光学装置において、前記各カラー画素に含まれる前記赤用画素、前記緑用画素
及び前記青用画素のうち、少なくとも一つの前記赤用画素、前記緑用画素及び前記青用画
素上には、その画素から出射した光の色を変換する色変換層を具備したカラーフィルタが
設けられていてもよい。
【００１４】
これによれば、各画素から出射された光は、その色純度が高められるので高彩色な画像
が表示される。
この電気光学装置において、前記複数の画素の各々は、有機エレクトロルミネッセンス
素子を備えていてもよい。
【００１５】
これによれば、所望の白色の光を出射することの可能な有機エレクトロルミネッセンス
装置が実現される。
この電気光学装置において、前記有機エレクトロルミネッセンス素子は、白色の光を出
射する発光層を備えていてもよい。
【００１６】
これによれば、各画素に対して発光層を共有することができる。従って、前記各有機エ
レクトロルミネッセンス素子の構成が簡単となる。
この電気光学装置において、前記第１白用画素及び前記第２白用画素にはカラーフィル
タを設けていなくてもよい。
【００１７】
これによれば、各第１及び第２白用画素に設けられた発光層からの光をそのまま利用す
ることによって、所望の白色の光を出射することができる。
この電気光学装置において、前記第１白用画素及び前記第２白用画素から出射される各
白色の光の色度は、その前記光透過層の膜厚に応じて調整されていてもよい。
【００１８】
これによれば、光透過層の膜厚を調整することによって各第１及び第２白用画素からそ
れぞれ出射される白色の光の色度を変えることができることから、カラー画素の白色の光
の色度を調整することができる。
【００１９】
本発明の電子機器は上記記載の電気光学装置を備えている。
これによれば、本発明の電気光学装置は所望の白色の光を出射することから、高彩色な
画像を表示可能とする電子機器が実現される。
【発明を実施するための最良の形態】
【００２０】
（第１実施形態）
以下、本発明の電気光学装置を有機ＥＬディスプレイに具体化した実施形態について説
明する。
【００２１】
図１は、本実施形態に係る有機ＥＬ装置の概略正面図である。図１に示すように、有機
ＥＬ装置１は、光透過性を有する基板（透明基板）Ｓを備えるとともに、該基板Ｓの中央
部に形成された表示領域Ｈ内には、複数組のカラー画素２が行方向（図１中Ｘ矢印方向）
及び列方向（図１中Ｙ矢印方向）に沿って等間隔にマトリクス状に配置形成されている。
【００２２】
一組のカラー画素２は、拡大部２０に示すように、赤用画素２Ｒ、緑用画素２Ｇ、青用
画素２Ｂ、第１白用画素２Ｗａ、第２白用画素２Ｗｂを備えている。赤用画素２Ｒは赤色
の光を出射する画素であり、緑用画素２Ｇは緑色の光を出射する画素であり、青用画素２
Ｂは、青色の光を出射する画素である。また、第１及び第２白用画素２Ｗａ，２Ｗｂは、
互いに色度の異なった白色の光を出射する画素である。
【００２３】
一組のカラー画素２に属する赤用画素２Ｒ、緑用画素２Ｇ及び青用画素２Ｂは、同一行
上に等ピッチで配置され、たとえば、本実施形態では、行方向（Ｘ矢印方向）に沿って赤
用画素２Ｒ→緑用画素２Ｇ→青用画素２Ｂの順に配置されている。
【００２４】
また、一組のカラー画素２に属する第１白用画素２Ｗａ及び第２白用画素２Ｗｂは、同
一行上に配列されるとともに、その組に属する赤用、緑用及び青用画素２Ｒ,２Ｇ，２Ｂ
とは異なった行に配列されている。そして、第１白用画素２Ｗａは、その組に属する赤用
画素２Ｒと緑用画素２Ｇとの間に対応した位置に、即ち、半ピッチ分ずれて配置されてい
る。同様に、第２白用画素２Ｗｂは、その組に属する緑用画素２Ｇと青用画素２Ｂとの間
に対応した位置に、即ち、半ピッチ分ずれて配置されている。従って、カラー画素２は、
拡大部２０にて二点差線で示すように、略三角形状を成している。
【００２５】
そして、各カラー画素２にて、赤用画素２Ｒ、緑用画素２Ｇ及び青用画素２Ｂは、行方
向（Ｘ矢印方向）で同一線上に配列されている。また、第１及び第２白用画素２Ｗａ，２
Ｗｂは、赤用画素２Ｒ、緑用画素２Ｇ及び青用画素２Ｂに対し、列方向（Ｙ矢印方向）に
て隣接する位置にて前記行方向に配列され、前記行方向に隣接する２つのカラー画素２の
外形状は、前記行方向で互いに逆向きとなっている。
【００２６】
即ち、図１中最上位置にある第１行目では、赤用画素２Ｒ→緑用画素２Ｇ→青用画素２
Ｂ→第１白用画素２Ｗａ→第２白用画素２Ｗｂ→赤用画素２Ｒ→緑用画素２Ｇ→…の順に
画素が配置形成される。そして、その第１行目の下側（図１中反Ｙ矢印側）にある第２行
目では、第１白用画素２Ｗａ→第２白用画素２Ｗｂ→赤用画素２Ｒ→緑用画素２Ｇ→青用
画素２Ｂ→第１白用画素２Ｗａ→第２白用画素２Ｗｂ→…の順に画素が配置形成される。
つまり、カラー画素２は、ハニカム状に配置形成されている。
【００２７】
また、表示領域Ｈには、行方向（図１中Ｘ矢印方向）に沿って延設された図示しない複
数本の走査線と、その各走査線と交差するように列方向（図１中Ｙ矢印方向）に沿って延
設された図示しない複数本のデータ線とが形成されている。前記複数本の走査線は、表示
領域Ｈ以外の領域（以降、「非表示領域」という）Ｑに形成された走査線駆動回路（図示
略）に接続され、この走査線駆動回路から出力される走査信号に基づいて順次所定のタイ
ミングで選択制御されるようになっている。また、前記複数本のデータ線は、図示しない
外付けのデータ線駆動回路に接続され、このデータ線駆動回路からデータ線ＬＸ１〜ＬＸ
ｍに所定のタイミングでデータ信号が供給されるようになっている。そして、各走査線と
各データ線との交差部に対応した位置に、各画素２Ｒ，２Ｇ，２Ｂ，２Ｗａ，２Ｗｂが配
置形成されている。
【００２８】
図２は、有機ＥＬ装置１の一部概略断面図である。図２に示すように、有機ＥＬ装置１
は、その基板Ｓ上に、各画素２Ｒ，２Ｇ，２Ｂ，２Ｗａ，２Ｗｂが配置形成される画素形
成領域ＺＲ，ＺＧ，ＺＢ，ＺＷａ，ＺＷｂを備えている。
【００２９】
各画素形成領域ＺＲ，ＺＧ，ＺＢ，ＺＷａ，ＺＷｂ内には、第１の電極としての画素電
極１１が形成されている。各画素電極１１は、光反射性の高い導電材料で構成されている
。例えば、本実施形態の画素電極１１は、アルミニウム（Ａｌ）で構成されている。各画
素電極１１の膜厚は、全て同じである。
【００３０】
また、基板Ｓ上には、各画素電極１１を覆うように光透過性を有した透明導電層１２が
形成されている。この透明導電層１２は、各画素形成領域ＺＲ，ＺＧ，ＺＢ，ＺＷａ，Ｚ
Ｗｂ毎にその膜厚が異なっており、それぞれ赤色、緑色、青色、白色の光に対応した膜厚
となるように予め設定されている。
【００３１】
つまり、赤用画素形成領域ＺＲ内に位置する透明導電層１２の膜厚を符号「Ｂｒ」、緑
用画素形成領域ＺＧ内に位置する透明導電層１２の膜厚を符号「Ｂｇ」、青用画素形成領
域ＺＢ内に位置する透明導電層１２の膜厚を符号「Ｂｂ」とする。また、同様に、第１白
用画素形成領域ＺＷａ内に位置する透明導電層１２の膜厚を符号「Ｂｗａ」、第２白用画
素形成領域ＺＷｂ内に位置する透明導電層１２の膜厚を符号「Ｂｗｂ」とする。
【００３２】
そして、本実施形態では、赤用画素形成領域ＺＲ内の透明導電層１２の膜厚Ｂｒは、緑
用画素形成領域ＺＧ内の透明導電層１２の膜厚Ｂｇに比べて厚く、緑用画素形成領域ＺＧ
内の透明導電層１２の膜厚Ｂｇは、青用画素形成領域ＺＢ内の透明導電層１２の膜厚Ｂｂ
に比べて厚くなっている。また、第１白用画素形成領域ＺＷａ内の透明導電層１２の膜厚
Ｂｇは、第２白用画素形成領域ＺＷｂの透明導電層１２の膜厚Ｂｂに比べて厚くなってい
る。
【００３３】
尚、透明導電層１２より下方には、図示しない配線層が形成されている。そして、各画
素形成領域ＺＲ，ＺＧ，ＺＢ，ＺＷａ，ＺＷｂ以外に対応した配線層内には前記した走査
線及びデータ線といった各種配線や駆動トランジスタといった図示しない電子素子が形成
されている。この配線層内に形成された複数の走査線のうち所定の走査線に走査信号が供
給されると、そのタイミングで各データ線にデータ信号が供給されるようになっている。
この結果、選択された走査線に対応した位置に配置された各画素電極１１にデータ信号が
供給される。この結果、選択された走査線に対応した位置に配置された各画素電極１１に
データ信号に応じたキャリアとしての正孔が供給されるようになっている。
【００３４】
透明導電層１２上全面に渡って機能層１３が形成されている。本実施形態の機能層１３
は、正孔輸送層１３ａ、発光層１３ｂ及び電子輸送層１３ｃを備え、基板Ｓ側から正孔輸
送層１３ａ、発光層１３ｂ、電子輸送層１３ｃの順に積層されている。つまり、各画素２
Ｒ，２Ｇ，２Ｂ，２Ｗａ，２Ｗｂに対して機能層１３（発光層１３ｂ）が共有された構造
となっている。
【００３５】
正孔輸送層１３ａは、各画素電極１１から発光層１３ｂへのキャリア（正孔）の注入効
率を高めるとともに、発光層１３ｂ内を移動する電子をブロッキングする機能を有し、発
光層１３ｂ内でのキャリアとしての電子と正孔との再結合確率を高める作用を奏する。こ
の正孔輸送層１３ａには、各画素電極１１からの注入障壁が低く、正孔移動度の高い材料
が好適に用いられる。このような材料としては、例えばポリチオフェン誘導体、ポリピロ
ール誘導体など、またはそれらのドーピング体などが用いられる。具体的には、３，４−
ポリエチレンジオキシオフェン／ポリスチレンスルフォン酸（ＰＥＤＯＴ／ＰＳＳ）［商
品名；バイトロン−ｐ（Bytron-p）：バイエル社製］の分散液、即ち、分散媒としてポリ
スチレンスルフォン酸に３，４−ポリエチレンジオキシチオフェンを分散させ、さらにこ
れを水に分散させた分散液などを用いられる。また、本実施形態では、正孔輸送層１３ａ
は、各画素電極１１に対して均一な膜厚である。
【００３６】
発光層１３ｂは、蛍光或いは燐光を発光することが可能な公知の有機高分子発光材料で
構成されている。このような材料としては、ポリフルオレン誘導体（ＰＦ）、ポリパラフ
ェニレンビニレン誘導体（ＰＰＶ）、ポリフェニレン誘導体（ＰＰ）、ポリパラフェニレ
ン誘導体（ＰＰＰ）、ポリビニルカルバゾール（ＰＶＫ）、ポリチオフェン誘導体、ポリ
ジアルキルフルオレン（ＰＤＡＦ）、ポリフルオレンベンゾチアジアゾール（ＰＦＢＴ）
、ポリアルキルチオレン（ＰＡＴ）や、ポリメチルフェニルシラン（ＰＭＰＳ）等のポリ
シラン系などを好適に用いることができる。また、これらの各発光材料に、ペリレン系色
素、クマリン系色素、ローダミン色素などの高分子系材料や、ルブレン、ペリレン、９，
１０−ジフェニルアントラセン、テトラフェニルブタジエン、ナイルレッド、クマリン６
、キナクリドン等の低分子材料をドープして用いることもできる。また、本実施形態では
、発光層１３ｂは、正孔輸送層１３ａ上の全面に渡って均一な膜厚である。
【００３７】
電子輸送層１３ｃは、発光層１３ｂへの電子注入効率を高めるとともに、正孔をブロッ
キングする機能を有する。この電子輸送層１３ｃは、オキサジアゾール誘導体やＡｌｑ３
などの有機材料で構成されている。本実施形態では、電子輸送層１３ｃは、発光層１３ｂ
上の全面に渡って均一な膜厚である。
【００３８】
機能層１３上（電子輸送層１３ｃ上）の全面には、共通電極１４が形成されている。共
通電極１４は、図示しない外部電源端子に接続され、共通電位（ＧＮＤ）が供給されるよ
うになっている。そして、共通電極１４は、電子輸送層１３ｃを介して発光層１３ｂにキ
ャリアとしての電子を供給する電極として機能する。また、共通電極１４は、光半透過反
射層（ハーフミラー）としても作用する。つまり、発光層１３ｂにて発せられた光の一部
を透過して、残りの光の一部または全部を画素電極１１側に反射させる。
【００３９】
尚、本実施形態では、共通電極１４は、金属薄膜であるマグネシウム―銀（ＭｇＡｇ）
膜（膜厚：１０ｎｍ）で構成されている。
そして、赤用画素形成領域ＺＲ内に配置形成された画素電極１１、透明導電層１２、機
能層１３及び共通電極１４で赤用有機ＥＬ素子１５Ｒが構成される。また、緑用画素形成
領域ＺＧ内に配置形成された画素電極１１、透明導電層１２、機能層１３及び共通電極１
４で緑用有機ＥＬ素子１５Ｇが構成される。さらに、青用画素形成領域ＺＢ内に配置形成
された画素電極１１、透明導電層１２、機能層１３及び共通電極１４で青用有機ＥＬ素子
１５Ｂが構成される。
【００４０】
さらにまた、第１白用画素形成領域ＺＷａ内に配置形成された画素電極１１、透明導電
層１２、機能層１３及び共通電極１４で第１白用有機ＥＬ素子１５Ｗａが構成される。ま
た、第２白用画素形成領域ＺＷｂ内に配置形成された画素電極１１、透明導電層１２、機
能層１３及び共通電極１４で第２白用有機ＥＬ素子１５Ｗｂが構成される。そして、各有
機ＥＬ素子１５Ｒ，１５Ｇ，１５Ｂ，１５Ｗａ，１５Ｗｂは、各発光層１３ｂから発せら
れた光を各画素電極１１と共通電極１４との間で往復するように反射させて共振させる光
共振器構造（マイクロキャビティー）が構成される。
【００４１】
上記のように構成された各有機ＥＬ素子１５Ｒ，１５Ｇ，１５Ｂ，１５Ｗａ，１５Ｗｂ
は、その透明導電層１２及び機能層１３は同じ材料で構成されていることから、各光学的
距離は、各領域ＺＲ，ＺＧ，ＺＢ，ＺＷａ，ＺＷｂ内における透明導電層１２の膜厚と機
能層１３の膜厚との合計に対応した値となる。つまり、赤用画素形成領域ＺＲ内における
透明導電層１２と機能層１３との合計の膜厚Ａｒが赤用有機ＥＬ素子１５Ｒの光学的距離
となり、緑用画素形成領域ＺＧ内における透明導電層１２と機能層１３との合計の膜厚Ａ
ｇが緑用有機ＥＬ素子１５Ｇの光学的距離となる。同様に、青用画素形成領域ＺＢ内にお
ける透明導電層１２と機能層１３との合計の膜厚Ａｂが青用有機ＥＬ素子１５Ｂの光学的
距離となる。
【００４２】
また、第１白用画素形成領域ＺＷａ内における透明導電層１２と機能層１３との合計の
膜厚Ａｗａが第１白用有機ＥＬ素子１５Ｗａの光学的距離となり、第２白用画素形成領域
ＺＷｂ内における透明導電層１２と機能層１３との合計の膜厚Ａｗｂが第２白用有機ＥＬ
素子１５Ｗｂの光学的距離となる。
【００４３】
前述したように、機能層１３の膜厚は、各領域ＺＲ，ＺＧ，ＺＢ，ＺＷａ，ＺＷｂ全面
に渡って均一であることから、赤用画素形成領域ＺＲ内における透明導電層１２の膜厚Ｂ
ｒが調整されることによって、赤用有機ＥＬ素子１５Ｒの光学的距離が赤色の光のスペク
トルピーク値に対応した値となるように設定されている。同様に、緑用画素形成領域ＺＧ
内における透明導電層１２の膜厚Ｂｇが調整されることによって、緑用有機ＥＬ素子１５
Ｇの光学的距離が緑色の光のスペクトルピーク値に対応した値となるように設定されてい
る。また、同様に、青用画素形成領域ＺＢ内における透明導電層１２の膜厚Ｂｂが調整さ
れることによって、青用有機ＥＬ素子１５Ｂの光学的距離が青色の光のスペクトルピーク
値に対応した値となるように設定されている。
【００４４】
従って、赤用有機ＥＬ素子１５Ｒからは赤色をした波長の光ＬＲが、緑用有機ＥＬ素子
１５Ｇからは緑色をした波長の光ＬＧが、青用有機ＥＬ素子１５Ｂからは青色をした波長
の光ＬＢがそれぞれ出射される。
【００４５】
また、第１及び第２白用有機ＥＬ素子１５Ｗａ，１５Ｗｂにおいては、各画素形成領域
ＺＷａ，ＺＷｂ内における透明導電層１２と機能層１３との合計の膜厚Ａｗａ，Ａｗｂが
、それぞれ異なった色度の白色の光のスペクトルピーク値に対応した値となるように、各
透明導電層１２の膜厚Ｂｗａ及び膜厚Ｂｗｂがそれぞれ調整されている。
【００４６】
具体的には、第１白用有機ＥＬ素子１５Ｗａの光学的距離が、図３に示す色度図におけ
る領域Ｑｏ内の色度を有した白色の発光スペクトルピーク値に対応した値となるように、
その透明導電層１２の膜厚Ｂｗａが調整されている。一方、第２白用有機ＥＬ素子１５Ｗ
ｂの光学的距離が、図３に示す色度図における領域Ｐｏ内の色度を有した白色の発光スペ
クトルピーク値に対応した値となるように、その透明導電層１２の膜厚Ｂｗｂが調整され
ている。因みに、領域Ｑｏ内の色度を有した白色は、やや波長の長い赤みがかった白色の
光であり、領域Ｐｏ内の色度を有した白色は、やや波長の短い青みがかった白色の光であ
る。尚、図３において符号「ｘ」、「ｙ」は、それぞれＣＩＥ１３９４によるＸＹＺ表色
系の色度座標を示している。
【００４７】
従って、第１白用有機ＥＬ素子１５Ｗａからは、波長の比較的長い赤みがかった白色の
光ＬＷａが出射され、第２白用有機ＥＬ素子１５Ｗｂからは、波長の比較的短い青みがか
った白色の光ＬＷｂが出射される。
【００４８】
また、図２に示すように、共通電極１４上には、カラーフィルタＣＦが設けられている
。詳しくは、カラーフィルタＣＦは、赤色、緑色、青色変換層１６Ｒ，１６Ｇ，１６Ｂ及
び無着色層１７、遮光層１８を具備している。赤色変換層１６Ｒは赤用画素２Ｒと対向し
た位置に、緑色変換層１６Ｇは緑用画素２Ｇと対向した位置に、青色変換層１６Ｂは青用
画素２Ｂと対向した位置に、それぞれ配置形成されている。赤色変換層１６Ｒは公知の材
料で構成されており、赤用有機ＥＬ素子１５Ｒから入射した赤色の光ＬＲを色純度の高い
赤色の光Ｒに変換して外部へ出射する。緑色変換層１６Ｇは公知の材料で構成されており
、緑用有機ＥＬ素子１５Ｇから入射した緑色の光ＬＧを色純度の高い緑色の光Ｇに変換し
て外部へ出射する。同様に、青色変換層１６Ｂは公知の材料で構成されており、青用有機
ＥＬ素子１５Ｂから入射した青色の光ＬＢを色純度の高い青色の光Ｂに変換して外部へ出
射する。
【００４９】
また、無着色層１７は、第１白用有機ＥＬ素子１５Ｗａ及び第２白用有機ＥＬ素子１５
Ｗｂと対向した位置に配置されている。この無着色層１７は、無色透明な光透過層である
。従って、各第１白用有機ＥＬ素子１５Ｗａ及び第２白用有機ＥＬ素子１５Ｗｂにて出射
された白色の光ＬＷａ，ＬＷｂは、その色が変換されることなくそのまま外部へ出射する
。
【００５０】
遮光層１８は、公知のブラックマトリクスであって、隣接する画素２Ｒ，２Ｇ，２Ｂ，
２Ｗａ，２Ｗｂから出射される光が周囲の画素を介して外部へ出射する光を遮光する。
そして、赤用画素２Ｒから出射される赤色の光Ｒ、緑用画素２Ｇから出射される緑色の
光Ｇ、青用画素２Ｂから出射される青色の光Ｂ、第１及び第２白用画素２Ｗａ，２Ｗｂか
ら出射される白色の光Ｗａ，Ｗｂが混じり合って所望の色の光が合成される。
【００５１】
尚、赤用画素形成領域ＺＲ内に形成される赤用有機ＥＬ素子１５Ｒと赤色変換層１６Ｒ
とで赤用画素２Ｒが構成され、緑用画素形成領域ＺＧ内に形成される緑用有機ＥＬ素子１
５Ｇと緑色変換層１６Ｇとで緑用画素２Ｇが構成され、青用画素形成領域ＺＢ内に形成さ
れる青用有機ＥＬ素子１５Ｂと青色変換層１６Ｂとで青用画素２Ｂが構成される。さらに
また、第１白用画素形成領域ＺＷａ内に形成される第１白用有機ＥＬ素子１５Ｗａと無着
色層１７とで第１白用画素２Ｗａが構成される。また、第２白用画素形成領域ＺＷｂ内に
形成される第２白用有機ＥＬ素子１５Ｗｂと無着色層１７とで第２白用画素２Ｗｂが構成
される。
【００５２】
上記したように、本実施形態によれば、以下の効果を有する。
（１）本実施形態によれば、各カラー画素２は、赤、緑及び青用画素２Ｒ，２Ｇ，２Ｂ
に加えて色度の異なる２つの白色の光を出射する第１及び第２白用画素２Ｗａ，２Ｗｂを
備えた。従って、第１白用画素２Ｗａの画素電極１１に供給されるデータ信号及び第２白
用画素２Ｗｂの画素電極１１に供給されるデータ信号をそれぞれ制御して第１白用画素２
Ｗａの光ＬＷａの発光輝度と第２白用画素２Ｗｂの光ＬＷｂの発光輝度との強度を相対的
に調整することによって、所望の白色の光を実現することができる。
【００５３】
（２）本実施形態によれば、第１白用有機ＥＬ素子１５Ｗａ及び第２白用有機ＥＬ素子
１５Ｗｂ内の各画素電極１１と共通電極１４との間に光透過性を有した透明導電層１２を
設けるとともに、第１白用有機ＥＬ素子１５Ｗａ内の透明導電層１２の膜厚Ｂｗａを第２
白用有機ＥＬ素子１５Ｗｂ内の透明導電層１２の膜厚Ｂｗｂに比べて厚くした。この結果
、第１白用有機ＥＬ素子１５Ｗａの光学的距離は、第２白用有機ＥＬ素子１５Ｗｂの光学
的距離に比べて長くなることから、第１白用有機ＥＬ素子１５Ｗａから出射される白色の
光ＬＷａと、第２白用有機ＥＬ素子１５Ｗｂから出射される白色の光ＬＷｂとを互いに色
度の異なる白色の光とすることができる。
【００５４】
（３）本実施形態によれば、赤用画素２Ｒ、緑用画素２Ｇ、青用画素２Ｂを同一行上に
配置し、第１白用画素２Ｗａ及び第２白用画素２Ｗｂを赤、緑及び青用画素２Ｒ，２Ｇ，
２Ｂと異なった位置に配置することによって各カラー画素２を略三角形状に形成するよう
にした。そして、そのように構成されたカラー画素２をハニカム状に複数配置形成した。
従って、カラー画素２は高密度で配置される。この結果、高精細な画像が表示できる。
【００５５】
（４）本実施形態によれば、赤用画素２Ｒ、緑用画素２Ｇ、青用画素２Ｂを同一行上に
配置し、第１白用画素２Ｗａ及び第２白用画素２Ｗｂを赤、緑及び青用画素２Ｒ，２Ｇ，
２Ｂと異なった位置に配置することによって各カラー画素２を略三角形状に形成するよう
にした。従って、赤用画素２Ｒ、緑用画素２Ｇ、青用画素２Ｂ、第１白用画素２Ｗａ及び
第２白用画素２Ｗｂはカラー画素２の中心としてほぼ等間隔に位置することから、赤色の
光ＬＲ、緑色の光ＬＧ、青色の光ＬＢ、第１白色の光ＬＷａ及び第２白色の光ＬＷｂの各
発光中心は、カラー画素２の中心になる。この結果、各カラー画素２からは色ズレの無い
色再現性の良好な光が出射される。
【００５６】
（５）本実施形態によれば、第１白用画素２Ｗａと第２白用画素２Ｗｂとを同じ行上に
隣接して配置した。従って、第１白色の光ＬＷａと第２白色の光ＬＷｂとが確実に合成さ
れ一つの白色の光として視認される。この結果、所望の白色の光を確実に取り出すことが
できる。
【００５７】
（６）本実施形態によれば、赤、緑及び青用画素２Ｒ，２Ｇ，２Ｂに対向する位置に、
赤色、緑色、青色変換層１６Ｒ，１６Ｇ，１６Ｂを具備したカラーフィルタＣＦを備えた
。従って、赤用画素２Ｒから出射した赤色の光ＬＲはさらにその色純度が高められた赤色
の光Ｒに、緑用画素２Ｇから出射した緑色の光ＬＧはさらにその色純度が高められた緑色
の光Ｇに、また、青用画素２Ｂから出射した青色の光ＬＢはさらにその色純度が高められ
た青色の光Ｂに変換される。この結果、表示領域Ｈ上には高彩色な画像を表示することが
できる。
【００５８】
（７）本実施形態によれば、第１白用画素２Ｗａ及び第２白用画素２Ｗｂに対向する位
置に、無色透明な光透過層で構成された無着色層１７を備えた。従って、第１白用画素２
Ｗａ及び第２白用画素２Ｗｂにて発せられた白色の光ＬＷａ，ＬＷｂをそのまま外部へ取
り出すことができる。この結果、表示領域Ｈ上には調整された所望の白色の光をそのまま
表示することができる。
（第２実施形態）
次に、上記第１実施形態に係る有機ＥＬ装置１を備えた電子機器を一例について説明す
る。図４は、有機ＥＬ装置１を備えた電子機器の一例としての携帯電話を示した斜視図で
ある。図４に示す携帯電話５０は、表示部５１、複数の操作ボタン５２等を備えている。
このような構成をした携帯電話５０は、その表示部５１が上記第１実施形態に係る有機Ｅ
Ｌ装置１を備えている。従って、携帯電話５０の表示部５１には、所望の白色の光を取り
出せることから高彩色な表示が可能となる。
【００５９】
尚、本発明は、以下のように変更して具体化することもできる。
・上記第１及び第２実施形態では、カラー画素２を構成する赤、緑、青、第１白及び第
２白用画素２Ｒ，２Ｇ，２Ｂ，２Ｗａ，２Ｗｂは、それぞれ、自発光素子である有機ＥＬ
素子１５Ｒ，１５Ｇ，１５Ｂ，１５Ｗａ，１５Ｗｂを備えた有機ＥＬ装置１に適用したが
、本発明はこれに限定されない。各画素２Ｒ，２Ｇ，２Ｂ，２Ｗａ，２Ｗｂは、有機ＥＬ
素子とは異なった、たとえば、放電による発光を利用した自発光素子を備えたプラズマデ
ィスプレイやＳＥＤに適用してもよい。
【００６０】
・上記第１実施形態では、各有機ＥＬ素子１５Ｒ，１５Ｇ，１５Ｂ，１５Ｗａ，１５Ｗ
ｂ内に、光透過性を有した透明導電層１２を備え、第１白用画素２Ｗａ内の透明導電層１
２の膜厚と第２白用画素２Ｗｂ内の透明導電層１２の膜厚とを調整することで各白用画素
２Ｗａ，２Ｗｂの光学的距離を変えるようにしたが、本発明はこれに限定されない。例え
ば、画素電極１１をＩＴＯ（インジウム−チタン酸化物）といった光透過性を有した導電
体で構成するとともに、その画素電極１１と基板Ｓとの間に光反射層を備える。そして、
画素電極１１の膜厚を、出射する光の色に応じて各有機ＥＬ素子１５Ｒ，１５Ｇ，１５Ｂ
，１５Ｗａ，１５Ｗｂ毎に異ならせるようにする。このようにすることによっても、上記
と同様な効果を得ることができる。
【００６１】
・上記第１実施形態のカラーフィルタＣＦは、赤色、緑色及び青色変換層１６Ｒ，１６
Ｇ，１６Ｂを具備していたが、本発明はこれに限定されず、赤色、緑色及び青色変換層１
６Ｒ，１６Ｇ，１６Ｂのうち、いずれか一つの色変換層を具備したものであってもよい。
要は、カラーフィルタＣＦは、赤色、緑色及び青色変換層１６Ｒ，１６Ｇ，１６Ｂのうち
、いずれか一つの色変換層を具備していればよい。
【００６２】
・上記第１実施形態では、各カラー画素２を構成する赤用画素２Ｒ、緑用画素２Ｇ、青
用画素２Ｂ、第１白用画素２Ｗａ及び第２白用画素２Ｗｂを略三角形状を成すように配列
したが、本発明は特にこれに限定されるものではない。要は、各画素２Ｒ，２Ｇ，２Ｂ，
２Ｗａ，２Ｗｂが、カラー画素２の中心からほぼ等間隔に配置されていればよい。
【００６３】
・上記第１実施形態では、正孔輸送層１３ａ、発光層１３ｂ及び電子輸送層１３ｃで機
能層１３を構成したが、本発明はこれに限定されない。上記各層１３ａ〜１３ｃのうち、
発光層１３ｂ以外の他の層（正孔注入層や電子注入層）のいずれかまたは全てが含まれて
いてもよい。要は、機能層１３は、発光層１３ｂを含んでいればよい。このようにするこ
とで、上記各実施形態と同様の効果を得ることができる。
【００６４】
・上記第１実施形態では、基板Ｓを、ガラス等の光透過性を有した基板（透明基板）と
したが、本発明はこれに限定されない。たとえば、光透過性を有しない基板（不透明基板
）も用いることもできる。基板Ｓを、光透過性を有しない基板（不透明基板）とした場合
では、例えば、アルミナ等のセラミックス、ステンレススチール等の金属シートに表面酸
化などの絶縁処理を施したもの、また、熱硬化性樹脂や熱可塑性樹脂、さらには、そのフ
ィルム（プラスチックフィルム）などが挙げられる。要は、画素が形成可能であるもので
あれば、どんなものであってもよい。
【００６５】
・上記第１実施形態では、画素２Ｒ，２Ｇ，２Ｂ，２Ｗａ，２Ｗｂの各有機ＥＬ素子１
５Ｒ，１５Ｇ，１５Ｂ，１５Ｗａ，１５Ｗｂを構成する発光層１３ｂは、それぞれ、各画
素２Ｒ，２Ｇ，２Ｂ，２Ｗａ，２Ｗｂに渡って共通の白色の光を出射する発光層であった
が、本発明はこれに限定されない。各有機ＥＬ素子１５Ｒ，１５Ｇ，１５Ｂ，１５Ｗａ，
１５Ｗｂを構成する発光層１３ｂは、画素２Ｒ，２Ｇ，２Ｂ，２Ｗａ，２Ｗｂ毎に異なっ
た色の光を出射するものであってもよい。
【図面の簡単な説明】
【００６６】
【図１】第１実施形態に係る有機ＥＬ装置の正面図。
【図２】第１実施形態に係る有機ＥＬ装置の概略断面図。
【図３】公知の色度図。
【図４】第２実施形態に係る電子機器としての携帯電話の斜視図。
【符号の説明】
【００６７】
ＣＦ…カラーフィルタ、Ｓ…基板、１…電気光学装置としての有機エレクトロルミネッ
センス装置、２…カラー画素、２Ｂ…画素としての青用画素、２Ｇ…画素としての緑用画
素、２Ｒ…画素としての赤用画素、２Ｗａ…第１白用画素、２Ｗｂ…第２白用画素、１１
…第１電極としての画素電極、１２…光透過層、１３ｂ…発光層、１４…第２電極として
の共通電極、１５Ｂ…有機エレクトロルミネッセンス素子としての青用有機ＥＬ素子、１
５Ｇ…有機エレクトロルミネッセンス素子としての緑用有機ＥＬ素子、１５Ｒ…有機エレ
クトロルミネッセンス素子としての赤用有機ＥＬ素子、１６Ｒ…色変換層としての赤色変
換層、１６Ｇ…色変換層としての緑色変換層、１６Ｂ…色変換層としての青色変換層、５
０…電子機器としての携帯電話。
【図１】
2008071664.tif 000003
【図２】
2008071664.tif 000004
【図３】
2008071664.tif 000005
【図４】
2008071664.tif 000006